(57)【要約】【課題】光学像の振れを補正するための振れ補正機能を有する撮影用光学装置において、従来よりも小型化することが可能な撮影用光学装置を提供する。【解決手段】撮影用光学装置１は、レンズおよび撮像素子を有するカメラモジュール３と、レンズによって撮像素子上に結像される光学像の振れを補正するための振れ補正装置４とを備えている。振れ補正装置４は、カメラモジュール３を揺動可能に支持する支持体２７と、支持体２７に対してレンズの光軸Ｌが傾くようにカメラモジュール３を揺動させて振れを補正するための揺動駆動機構２９を備えている。揺動駆動機構２９は、カメラモジュール３の外周面に直接固定される振れ補正用磁石３９と、支持体２７に固定され振れ補正用磁石３９に対向配置される振れ補正用コイル３８とを備えている。【選択図】図２
2011257506.tif 000002
【特許請求の範囲】
【請求項１】
レンズおよび撮像素子を有するカメラモジュールと、前記レンズによって前記撮像素子上に結像される光学像の振れを補正するための振れ補正装置とを備え、
前記振れ補正装置は、前記カメラモジュールを揺動可能に支持する支持体と、前記支持体に対して前記レンズの光軸が傾くように前記カメラモジュールを揺動させて振れを補正するための振れ補正機構とを備え、
前記振れ補正機構は、前記カメラモジュールの外周面に直接固定される振れ補正用磁石と、前記支持体に固定され前記振れ補正用磁石に対向配置される振れ補正用コイルとを備えることを特徴とする撮影用光学装置。
【請求項２】
前記カメラモジュールは、前記レンズを保持し前記レンズの光軸方向へ移動可能な可動体と、前記可動体を前記光軸方向へ移動可能に保持する保持体と、前記可動体を前記光軸方向へ駆動するためのレンズ駆動機構とを備え、
前記レンズ駆動機構は、前記可動体の外周面に固定されるレンズ駆動用コイルと、前記保持体に固定され前記レンズ駆動用コイルに対向配置されるレンズ駆動用磁石とを備え、
前記保持体は、磁性材料で形成されるとともに、前記カメラモジュールの外周面を構成する略筒状のカバー部材を備え、
前記カバー部材の内周面に前記レンズ駆動用磁石が固定され、前記カバー部材の外周面に前記振れ補正用磁石が固定されていることを特徴とする請求項１記載の撮影用光学装置。
【請求項３】
前記カバー部材を介して前記振れ補正用磁石に対向する前記レンズ駆動用磁石の対向面である第１対向面と、前記カバー部材を介して前記第１対向面に対向する前記振れ補正用磁石の対向面である第２対向面とは、異なる２つの磁極が前記光軸方向で重なるように着磁され、
前記光軸方向において、被写体が配置される側を被写体側とすると、
前記レンズ駆動用磁石および前記振れ補正用磁石は、前記第１対向面の前記被写体側に配置される磁極と、前記第２対向面の前記被写体側に配置される磁極とが異なるように、前記カバー部材に固定されていることを特徴とする請求項２記載の撮影用光学装置。
【請求項４】
前記振れ補正機構は、前記カメラモジュールと前記支持体とを繋ぐバネ部材を備え、
前記バネ部材は、前記カメラモジュールに直接固定される可動側固定部と、前記支持体に固定される固定側固定部と、前記可動側固定部と前記固定側固定部とを繋ぐとともに前記カメラモジュールの揺動動作を可能とするバネ部とを備えることを特徴とする請求項１から３のいずれかに記載の撮影用光学装置。
【請求項５】
前記振れ補正機構は、前記カメラモジュールの揺動中心となる支点部を備え、
前記レンズの光軸方向において、被写体が配置される側を被写体側とし、前記撮像素子が配置される側を反被写体側とすると、
前記支点部は、前記カメラモジュールよりも前記反被写体側に配置され、
前記固定側固定部は、前記可動側固定部よりも前記反被写体側に配置されていることを特徴とする請求項４記載の撮影用光学装置。
【請求項６】
前記カメラモジュールには、前記可動側固定部が固定されるバネ固定凸部が前記光軸方向に略直交する方向に突出するように形成され、
前記可動側固定部は、前記バネ固定凸部の前記被写体側の面に固定されていることを特徴とする請求項５記載の撮影用光学装置。
【請求項７】
前記バネ固定凸部は、前記カメラモジュールの全周に亘って形成され、
前記可動側固定部は、環状に形成されていることを特徴とする請求項６記載の撮影用光学装置。
【請求項８】
前記支持体は、前記支点部を構成する支点用突部が当接する当接部が形成される、あるいは、前記支点用突部が形成または固定される反被写体側ケース体と、前記固定側固定部を固定するための固定部材とを備え、
前記固定側固定部は、前記光軸方向における前記固定部材と前記反被写体側ケース体との間に挟まれた状態で固定されていることを特徴とする請求項５から７のいずれかに記載の撮影用光学装置。
【請求項９】
前記振れ補正機構は、前記光軸方向に略直交するとともに互いに略直交する第１方向および第２方向を揺動の軸方向として前記カメラモジュールを揺動させるための複数の前記振れ補正用磁石と前記振れ補正用コイルとを備え、
前記バネ部は、前記第１方向に略平行な第１バネ部と、前記第２方向に略平行な第２バネ部とを備えることを特徴とする請求項４から８のいずれかに記載の撮影用光学装置。
【請求項１０】
レンズが取付可能でかつ前記レンズの光軸方向へ移動可能な可動体と、前記可動体を前記光軸方向へ移動可能に保持する保持体と、前記可動体を前記光軸方向へ駆動するためのレンズ駆動機構とを有するレンズ駆動モジュールと、前記レンズによって結像される光学像の振れを補正するための振れ補正装置とを備え、
前記振れ補正装置は、前記レンズ駆動モジュールを揺動可能に支持する支持体と、前記支持体に対して前記レンズの光軸が傾くように前記レンズ駆動モジュールを揺動させて振れを補正するための振れ補正機構とを備え、
前記振れ補正機構は、前記レンズ駆動モジュールの外周面に直接固定される振れ補正用磁石と、前記支持体に固定され前記振れ補正用磁石に対向配置される振れ補正用コイルとを備えることを特徴とするレンズ駆動装置。
【請求項１１】
前記レンズ駆動機構は、前記可動体の外周面に固定されるレンズ駆動用コイルと、前記保持体に固定され前記レンズ駆動用コイルに対向配置されるレンズ駆動用磁石とを備え、
前記保持体は、磁性材料で形成されるとともに、前記レンズ駆動モジュールの外周面を構成する略筒状のカバー部材を備え、
前記カバー部材の内周面に前記レンズ駆動用磁石が固定され、前記カバー部材の外周面に前記振れ補正用磁石が固定されていることを特徴とする請求項１０記載のレンズ駆動装置。
【請求項１２】
前記カバー部材を介して前記振れ補正用磁石に対向する前記レンズ駆動用磁石の対向面である第１対向面と、前記カバー部材を介して前記第１対向面に対向する前記振れ補正用磁石の対向面である第２対向面とは、異なる２つの磁極が前記光軸方向で重なるように着磁され、
前記光軸方向において、被写体が配置される側を被写体側とすると、
前記レンズ駆動用磁石および前記振れ補正用磁石は、前記第１対向面の前記被写体側に配置される磁極と、前記第２対向面の前記被写体側に配置される磁極とが異なるように、前記カバー部材に固定されていることを特徴とする請求項１１記載のレンズ駆動装置。
【請求項１３】
前記振れ補正機構は、前記レンズ駆動モジュールと前記支持体とを繋ぐバネ部材を備え、
前記バネ部材は、前記レンズ駆動モジュールに直接固定される可動側固定部と、前記支持体に固定される固定側固定部と、前記可動側固定部と前記固定側固定部とを繋ぐとともに前記レンズ駆動モジュールの揺動動作を可能とするバネ部とを備えることを特徴とする請求項１０から１２のいずれかに記載のレンズ駆動装置。
【請求項１４】
前記振れ補正機構は、前記レンズ駆動モジュールの揺動中心となる支点部を備え、
前記光軸方向において、被写体が配置される側を被写体側とし、前記被写体側の反対側を反被写体側とすると、
前記支点部は、前記レンズ駆動モジュールよりも前記反被写体側に配置され、
前記固定側固定部は、前記可動側固定部よりも前記反被写体側に配置されていることを特徴とする請求項１３記載のレンズ駆動装置。
【請求項１５】
前記レンズ駆動モジュールには、前記可動側固定部が固定されるバネ固定凸部が前記光軸方向に略直交する方向に突出するように形成され、
前記可動側固定部は、前記バネ固定凸部の前記被写体側の面に固定されていることを特徴とする請求項１４記載のレンズ駆動装置。
【請求項１６】
前記バネ固定凸部は、前記レンズ駆動モジュールの全周に亘って形成され、
前記可動側固定部は、環状に形成されていることを特徴とする請求項１５記載のレンズ駆動装置。
【請求項１７】
前記支持体は、前記支点部を構成する支点用突部が当接する当接部が形成される、あるいは、前記支点用突部が形成または固定される反被写体側ケース体と、前記固定側固定部を固定するための固定部材とを備え、
前記固定側固定部は、前記光軸方向における前記固定部材と前記反被写体側ケース体との間に挟まれた状態で固定されていることを特徴とする請求項１４から１６のいずれかに記載のレンズ駆動装置。
【請求項１８】
前記振れ補正機構は、前記光軸方向に略直交するとともに互いに略直交する第１方向および第２方向を揺動の軸方向として前記レンズ駆動モジュールを揺動させるための複数の前記振れ補正用磁石と前記振れ補正用コイルとを備え、
前記バネ部は、前記第１方向に略平行な第１バネ部と、前記第２方向に略平行な第２バネ部とを備えることを特徴とする請求項１３から１７のいずれかに記載のレンズ駆動装置。
【発明の詳細な説明】
【技術分野】
【０００１】
本発明は、光学像の振れを補正するための振れ補正機能を有する撮影用光学装置およびレンズ駆動装置に関する。
【背景技術】
【０００２】
近年、携帯電話等の携帯機器には、撮影用光学装置が搭載されている。携帯機器の場合、撮影時に手振れが発生しやすい。そこで、撮影時の手振れを補正することが可能な撮影用光学装置が本出願人によって提案されている（たとえば、特許文献１参照）。
【０００３】
特許文献１に記載の撮影用光学装置は、レンズおよび撮像素子が搭載される可動モジュールと、可動モジュールを支持する固定体と、可動モジュールを固定体上で揺動させて手振れを補正する手振れ補正機構とを備えている。可動モジュールは、レンズを保持して光軸方向へ移動可能な移動体と、移動体を光軸方向へ移動可能に支持するための支持体と、移動体を光軸方向へ移動させるレンズ駆動用コイルおよびレンズ駆動用磁石とを備えている。レンズ駆動用コイルは、移動体の外周面に巻回されている。支持体は、可動モジュールの外周面を構成する四角筒状のケースを備えており、レンズ駆動用磁石は、レンズ駆動用コイルに対向するようにケースの内周面に固定されている。また、可動モジュールの外周面（すなわち、ケースの外周面）には、四角筒状のヨークが固定されており、可動モジュールの外周面は、このヨークによって覆われている。
【０００４】
また、特許文献１に記載の撮影用光学装置では、手振れ補正機構は、手振れ補正用コイルと手振れ補正用磁石とを備えている。手振れ補正用磁石は、可動モジュールを構成するケースの外周面を覆うヨークの外周面に固定されている。また、撮影用光学装置の外周面を構成する四角筒状の固定体がヨークの外周面を囲むように配置されており、手振れ補正用コイルは、手振れ補正用磁石と対向するように固定体の内周面に固定されている。
【先行技術文献】
【特許文献】
【０００５】
【特許文献１】特開２００９−２９４３９３号公報
【発明の概要】
【発明が解決しようとする課題】
【０００６】
近年、携帯電話等の携帯機器の市場では、携帯機器の小型化の要求が一段と高まっており、その結果、携帯機器に搭載される撮影用光学装置の小型化の要求も一段と高まっている。
【０００７】
そこで、本発明の課題は、光学像の振れを補正するための振れ補正機能を有する撮影用光学装置において、従来よりも小型化することが可能な撮影用光学装置を提供することにある。また、本発明の課題は、光学像の振れを補正するための振れ補正機能を有するレンズ駆動装置において、従来よりも小型化することが可能なレンズ駆動装置を提供することにある。
【課題を解決するための手段】
【０００８】
上記の課題を解決するため、本発明の撮影用光学装置は、レンズおよび撮像素子を有するカメラモジュールと、レンズによって撮像素子上に結像される光学像の振れを補正するための振れ補正装置とを備え、振れ補正装置は、カメラモジュールを揺動可能に支持する支持体と、支持体に対してレンズの光軸が傾くようにカメラモジュールを揺動させて振れを補正するための振れ補正機構とを備え、振れ補正機構は、カメラモジュールの外周面に直接固定される振れ補正用磁石と、支持体に固定され振れ補正用磁石に対向配置される振れ補正用コイルとを備えることを特徴とする。
【０００９】
また、上記の課題を解決するため、本発明のレンズ駆動装置は、レンズが取付可能でかつレンズの光軸方向へ移動可能な可動体と、可動体を光軸方向へ移動可能に保持する保持体と、可動体を光軸方向へ駆動するためのレンズ駆動機構とを有するレンズ駆動モジュールと、レンズによって結像される光学像の振れを補正するための振れ補正装置とを備え、振れ補正装置は、レンズ駆動モジュールを揺動可能に支持する支持体と、支持体に対してレンズの光軸が傾くようにレンズ駆動モジュールを揺動させて振れを補正するための振れ補正機構とを備え、振れ補正機構は、レンズ駆動モジュールの外周面に直接固定される振れ補正用磁石と、支持体に固定され振れ補正用磁石に対向配置される振れ補正用コイルとを備えることを特徴とする。
【００１０】
本発明の撮影用光学装置では、振れ補正機構を構成する振れ補正用磁石がカメラモジュールの外周面に直接固定されている。また、本発明のレンズ駆動装置では、振れ補正機構を構成する振れ補正用磁石がレンズ駆動モジュールの外周面に直接固定されている。そのため、本発明では、従来のように、カメラモジュールの外周面やレンズ駆動モジュールの外周面を覆うように配置されるヨークに振れ補正用磁石が固定される場合と比較して、撮影用光学装置やレンズ駆動装置を小型化することが可能になる。また、本発明では、カメラモジュールの外周面やレンズ駆動モジュールの外周面を覆うようにヨークが配置される場合と比較して、揺動する部分の重量を低減することが可能になる。なお、本発明において、撮影用光学装置やレンズ駆動装置の大きさが従来と同じであれば、ヨークの分だけ、振れ補正用磁石や振れ補正用コイルを大きくすることが可能になるため、振れ補正機構の駆動力を高めることが可能になる。
【００１１】
本発明の撮影用光学装置において、カメラモジュールは、レンズを保持しレンズの光軸方向へ移動可能な可動体と、可動体を光軸方向へ移動可能に保持する保持体と、可動体を光軸方向へ駆動するためのレンズ駆動機構とを備え、レンズ駆動機構は、可動体の外周面に固定されるレンズ駆動用コイルと、保持体に固定されレンズ駆動用コイルに対向配置されるレンズ駆動用磁石とを備え、保持体は、磁性材料で形成されるとともに、カメラモジュールの外周面を構成する略筒状のカバー部材を備え、カバー部材の内周面にレンズ駆動用磁石が固定され、カバー部材の外周面に振れ補正用磁石が固定されていることが好ましい。また、本発明のレンズ駆動装置において、レンズ駆動機構は、可動体の外周面に固定されるレンズ駆動用コイルと、保持体に固定されレンズ駆動用コイルに対向配置されるレンズ駆動用磁石とを備え、保持体は、磁性材料で形成されるとともに、レンズ駆動モジュールの外周面を構成する略筒状のカバー部材を備え、カバー部材の内周面にレンズ駆動用磁石が固定され、カバー部材の外周面に振れ補正用磁石が固定されていることが好ましい。
【００１２】
このように構成すると、カバー部材がバックヨークとして機能するため、レンズ駆動用磁石に対向配置されるレンズ駆動用コイルを通過する磁束の密度、および、振れ補正用磁石に対向配置される振れ補正用コイルを通過する磁束の密度を高めることが可能になる。また、レンズ駆動用磁石が発生させる磁束と、振れ補正用磁石が発生させる磁束との干渉を抑制することが可能になる。したがって、レンズを光軸方向へ適切に移動させること、および、カメラモジュールやレンズ駆動モジュールを適切に揺動させることが可能になる。
【００１３】
本発明において、カバー部材を介して振れ補正用磁石に対向するレンズ駆動用磁石の対向面である第１対向面と、カバー部材を介して第１対向面に対向する振れ補正用磁石の対向面である第２対向面とは、異なる２つの磁極が光軸方向で重なるように着磁され、光軸方向において、被写体が配置される側を被写体側とすると、レンズ駆動用磁石および振れ補正用磁石は、第１対向面の被写体側に配置される磁極と、第２対向面の被写体側に配置される磁極とが異なるように、カバー部材に固定されていることが好ましい。このように構成すると、効率的な磁気回路を形成することが可能になり、レンズ駆動機構および振れ補正機構の駆動力を高めることが可能になる。
【００１４】
本発明において、振れ補正機構は、カメラモジュールと支持体とを繋ぐバネ部材を備え、バネ部材は、カメラモジュールに直接固定される可動側固定部と、支持体に固定される固定側固定部と、可動側固定部と固定側固定部とを繋ぐとともにカメラモジュールの揺動動作を可能とするバネ部とを備えることが好ましい。また、本発明において、振れ補正機構は、レンズ駆動モジュールと支持体とを繋ぐバネ部材を備え、バネ部材は、レンズ駆動モジュールに直接固定される可動側固定部と、支持体に固定される固定側固定部と、可動側固定部と固定側固定部とを繋ぐとともにレンズ駆動モジュールの揺動動作を可能とするバネ部とを備えることが好ましい。このように構成すると、バネ部材の可動側固定部がカメラモジュールまたはレンズ駆動モジュールに直接固定されているため、可動側固定部が固定される部材が別途設けられる場合と比較して、撮影用光学装置やレンズ駆動装置を小型化することが可能になる。
【００１５】
本発明において、振れ補正機構は、カメラモジュールの揺動中心となる支点部を備え、レンズの光軸方向において、被写体が配置される側を被写体側とし、撮像素子が配置される側を反被写体側とすると、支点部は、カメラモジュールよりも反被写体側に配置され、固定側固定部は、可動側固定部よりも反被写体側に配置されていることが好ましい。また、本発明において、振れ補正機構は、レンズ駆動モジュールの揺動中心となる支点部を備え、光軸方向において、被写体が配置される側を被写体側とし、被写体側の反対側を反被写体側とすると、支点部は、レンズ駆動モジュールよりも反被写体側に配置され、固定側固定部は、可動側固定部よりも反被写体側に配置されていることが好ましい。このように構成すると、バネ部材を利用して、カメラモジュールやレンズ駆動モジュールを支点部に向かって付勢することが可能になり、カメラモジュールやレンズ駆動モジュールの揺動動作を安定させることが可能になる。
【００１６】
本発明において、カメラモジュールには、可動側固定部が固定されるバネ固定凸部が光軸方向に略直交する方向に突出するように形成され、可動側固定部は、バネ固定凸部の被写体側の面に固定されていることが好ましい。また、本発明において、レンズ駆動モジュールには、可動側固定部が固定されるバネ固定凸部が光軸方向に略直交する方向に突出するように形成され、可動側固定部は、バネ固定凸部の被写体側の面に固定されていることが好ましい。可動側固定部が、バネ固定凸部の反被写体側の面に固定されている場合には、バネ部材の付勢力の影響でバネ固定凸部の反被写体側の面から可動側固定部が剥がれやすくなるが、このように構成すると、バネ固定凸部からの可動側固定部の剥がれを防止することが可能になる。
【００１７】
本発明において、バネ固定凸部は、カメラモジュールの全周に亘って形成され、可動側固定部は、環状に形成されていることが好ましい。また、本発明において、バネ固定凸部は、レンズ駆動モジュールの全周に亘って形成され、可動側固定部は、環状に形成されていることが好ましい。このように構成すると、バネ部材の付勢力をカメラモジュールやレンズ駆動モジュールの全周に亘って作用させることが可能になるため、カメラモジュールやレンズ駆動モジュールの揺動動作をより安定させることが可能になる。
【００１８】
本発明において、支持体は、支点部を構成する支点用突部が当接する当接部が形成される、あるいは、支点用突部が形成または固定される反被写体側ケース体と、固定側固定部を固定するための固定部材とを備え、固定側固定部は、光軸方向における固定部材と反被写体側ケース体との間に挟まれた状態で固定されていることが好ましい。このように構成すると、光軸方向において、反被写体側ケース体を基準にして固定側固定部を固定することが可能になるため、固定側固定部と支点部との光軸方向における相対位置精度を確保しやすくなる。したがって、バネ部材を利用して、カメラモジュールやレンズ駆動モジュールを支点部に向かって適切に付勢することが可能になり、カメラモジュールやレンズ駆動モジュールの揺動動作をより安定させることが可能になる。
【００１９】
本発明において、振れ補正機構は、光軸方向に略直交するとともに互いに略直交する第１方向および第２方向を揺動の軸方向としてカメラモジュールを揺動させるための複数の振れ補正用磁石と振れ補正用コイルとを備え、バネ部は、第１方向に略平行な第１バネ部と、第２方向に略平行な第２バネ部とを備えることが好ましい。また、本発明において、振れ補正機構は、光軸方向に略直交するとともに互いに略直交する第１方向および第２方向を揺動の軸方向としてレンズ駆動モジュールを揺動させるための複数の振れ補正用磁石と振れ補正用コイルとを備え、バネ部は、第１方向に略平行な第１バネ部と、第２方向に略平行な第２バネ部とを備えることが好ましい。このように構成すると、第１方向に略平行な第１バネ部の作用で第２方向におけるバネ部材のバネ定数を比較的小さくし、第２方向に略平行な第２バネ部材の作用で第１方向におけるバネ部材のバネ定数を比較的小さくすることが可能になる。したがって、第１バネ部によって第２方向へ可動側固定部を円滑に動かすことが可能になり、かつ、第２バネ部によって第１方向へ可動側固定部を円滑に動かすことが可能になる。その結果、カメラモジュールやレンズ駆動モジュールの揺動角度が大きくなっても、カメラモジュールやレンズ駆動モジュールを円滑に揺動させることが可能になる。
【発明の効果】
【００２０】
以上のように、本発明では、撮影用光学装置およびレンズ駆動装置を従来よりも小型化することが可能になる。
【図面の簡単な説明】
【００２１】
【図１】本発明の実施の形態にかかる撮影用光学装置の斜視図である。
【図２】図１のＥ−Ｅ断面の断面図である。
【図３】図１に示す撮影用光学装置の分解斜視図である。
【図４】図３に示すカメラモジュールの分解斜視図である。
【図５】図２に示すレンズ駆動用磁石および振れ補正用磁石の着磁状態を説明するための斜視図である。
【図６】図２に示すカメラモジュール、板バネおよび下ケース体の配置関係を説明するための斜視図である。
【図７】図３に示す板バネの斜視図である。
【発明を実施するための形態】
【００２２】
以下、図面を参照しながら、本発明の実施の形態を説明する。
【００２３】
（撮影用光学装置の概略構成）
図１は、本発明の実施の形態にかかる撮影用光学装置１の斜視図である。図２は、図１のＥ−Ｅ断面の断面図である。なお、以下の説明では、図１に示すように、互いに直交する３方向のそれぞれをＸ方向、Ｙ方向およびＺ方向とし、Ｘ方向を左右方向、Ｙ方向を前後方向、Ｚ方向を上下方向とする。また、Ｚ１方向側を「上」側、Ｚ２方向側を「下」側とする。
【００２４】
本形態の撮影用光学装置１は、携帯電話等の携帯機器、ドライブレコーダあるいは監視カメラシステム等に搭載される小型かつ薄型のカメラであり、オートフォーカス機能と振れ補正機能とを備えている。この撮影用光学装置１は、全体として略四角柱状に形成されている。本形態では、撮影用光学装置１は、撮影用のレンズの光軸Ｌの方向（光軸方向）から見たときの形状が略正方形状となるように形成されており、撮影用光学装置１の４つの側面は、左右方向または前後方向と略平行になっている。
【００２５】
撮影用光学装置１は、図１、図２に示すように、レンズおよび撮像素子を有するとともに揺動可能なカメラモジュール３と、レンズによって撮像素子上に結像される光学像の振れを補正するための振れ補正装置４とを備えている。本形態では、上下方向は、カメラモジュール３が揺動していないときのカメラモジュール３の光軸方向とほぼ一致する。また、本形態では、カメラモジュール３の下端に撮像素子が搭載されており、上側に配置される被写体が撮影される。すなわち、本形態では、上側（Ｚ１方向側）は被写体側（物体側）であり、下側（Ｚ２方向側）は反被写体側（撮像素子側、像側）である。なお、本形態では、左右方向は、光軸方向に略直交する第１方向であり、前後方向は、光軸方向と第１方向とに略直交する第２方向である。
【００２６】
（カメラモジュールの構成）
図３は、図１に示す撮影用光学装置１の分解斜視図である。図４は、図３に示すカメラモジュール３の分解斜視図である。図５は、図２に示すレンズ駆動用磁石１９および振れ補正用磁石３９の着磁状態を説明するための斜視図である。
【００２７】
カメラモジュール３は、全体として略四角柱状に形成されている。本形態では、カメラモジュール３は、光軸方向から見たときの形状が略正方形状となるように形成されており、カメラモジュール３の４つの側面は、左右方向または前後方向と略平行になっている。
【００２８】
このカメラモジュール３は、図２、図４に示すように、レンズを保持し光軸方向へ移動可能な可動体５と、可動体５を光軸方向へ移動可能に保持する保持体６と、保持体６に対して可動体５を光軸方向へ駆動するためのレンズ駆動機構７と、近赤外光をカットするＩＲカットフィルタ１１を保持するフィルタホルダ８とを備えている。可動体５は、可動体５の上端側に配置される板バネ９（図２参照）と、可動体５の下端側に配置される板バネ１０（図２参照）とを介して保持体６に移動可能に保持されている。すなわち、可動体５と保持体６とは、板バネ９、１０によって繋がれている。
【００２９】
可動体５は、複数のレンズが固定されたレンズホルダ１２と、レンズホルダ１２を保持するスリーブ１３とを備えている。保持体６は、カメラモジュール３の４つの側面（外周面）を構成するカバー部材１４と、カメラモジュール３の反被写体側の端面を構成するベース部材１５とを備えている。
【００３０】
レンズホルダ１２は、略円筒状に形成されている。このレンズホルダ１２の内周側には、複数のレンズが固定されている。スリーブ１３は、たとえば、樹脂材料で形成されるとともに、略円筒状に形成されている。スリーブ１３は、その内周側でレンズホルダ１２を保持している。すなわち、スリーブ１３の内周面にレンズホルダ１２の外周面が固定されている。
【００３１】
カバー部材１４は、磁性材料で形成されている。このカバー部材１４は、底部１４ａと筒部１４ｂとを有する底付きの略四角筒状（略有底四角筒状）に形成されている。底部１４ａは、上側に配置されており、カメラモジュール３の被写体側の端面を構成している。底部１４ａの中心には、円形の貫通孔１４ｃが形成されている。カバー部材１４は、可動体５およびレンズ駆動機構７の外周側を囲むように配置されている。カバー部材１４の底部１４ａの下面には、図２に示すように、スペーサ部材１６が固定されている。スペーサ部材１６は、略正方形の枠状に形成されている。スペーサ部材１６には、板バネ９の一部が固定されている。
【００３２】
ベース部材１５は、樹脂材料で形成されるとともに、略正方形の平板状に形成されている。このベース部材１５は、カバー部材１４の筒部１４ｂの下端に固定されている。ベース部材１５の中心には、図２に示すように、貫通孔１５ａが形成されている。また、ベース部材１５には、板バネ１０の一部が固定されている。
【００３３】
レンズ駆動機構７は、可動体５の外周面（具体的には、スリーブ１３の外周面）に沿って巻回される２個のレンズ駆動用コイル１８と、レンズ駆動用コイル１８に対向配置される４個のレンズ駆動用磁石１９とを備えている。
【００３４】
２個のレンズ駆動用コイル１８は、その巻回方向が互いに異なるように巻回されている。たとえば、一方のレンズ駆動用コイル１８は、図４の時計回りの方向に巻回され、他方のレンズ駆動用コイル１８は、図４の反時計回りの方向に巻回されている。２個のレンズ駆動用コイル１８は、上下方向に所定の間隔をあけた状態でスリーブ１３の外周面に固定されている。
【００３５】
レンズ駆動用磁石１９は、図５に示すように、光軸方向から見たときの形状が略等脚台形状となる略四角柱状に形成されている。また、レンズ駆動用磁石１９は、光軸方向から見たときの形状が略等脚台形状となる四角柱状に形成された磁石片２０と磁石片２１との２個の磁石片によって構成されている。具体的には、磁石片２０の下面と磁石片２１の上面とが当接した状態で、磁石片２０と磁石片２１とが互いに接着固定されることでレンズ駆動用磁石１９が形成されている。
【００３６】
磁石片２０は、第１平面２０ａと、第１平面２０ａと略平行でかつ第１平面２０ａよりも面積の小さな第２平面２０ｂと、第２平面２０ｂから第１平面２０ａに向かって広がるように、第１平面２０ａおよび第２平面２０ｂに対して傾斜する２個の斜面２０ｃとを備えている。同様に、磁石片２１は、第１平面２１ａと、第１平面２１ａと略平行でかつ第１平面２１ａよりも面積の小さな第２平面２１ｂと、第２平面２１ｂから第１平面２１ａに向かって広がるように、第１平面２１ａおよび第２平面２１ｂに対して傾斜する２個の斜面２１ｃとを備えている。
【００３７】
４個のレンズ駆動用磁石１９は、カバー部材１４の筒部１４ｂの内周面に固定されている。具体的には、２個の斜面２０ｃ、２１ｃが左右方向または前後方向と略平行になるように、４個のレンズ駆動用磁石１９は、筒部１４ｂの四隅の内側のそれぞれに固定されている。すなわち、筒部１４ｂの対角線上に配置されるレンズ駆動用磁石１９の第１平面２０ａ、２１ａが互いに対向するように、４個のレンズ駆動用磁石１９が筒部１４ｂの四隅の内側のそれぞれに固定されており、第１平面２０ａ、２１ａは、レンズ駆動用コイル１８の外周面と所定の隙間を介して対向している。
【００３８】
４個の磁石片２０は、第１平面２０ａに形成される磁極がいずれも同じになるように着磁されている。また、４個の磁石片２０は、斜面２０ｃに形成される磁極がいずれも同じになるように、かつ、斜面２０ｃに形成される磁極と第１平面２０ａに形成される磁極とが異なる磁極となるように着磁されている。同様に、４個の磁石片２１は、第１平面２１ａに形成される磁極がいずれも同じになるように着磁されている。また、４個の磁石片２１は、斜面２１ｃに形成される磁極がいずれも同じになるように、かつ、斜面２１ｃに形成される磁極と第１平面２１ａに形成される磁極とが異なる磁極となるように着磁されている。
【００３９】
また、磁石片２０、２１は、第１平面２０ａの磁極と第１平面２１ａの磁極が互いに異なる磁極となるように、かつ、斜面２０ｃの磁極と斜面２１ｃの磁極とが互いに異なる磁極となるように着磁されている。すなわち、レンズ駆動用磁石１９は、異なる２つの磁極が上下方向で重なるように着磁されている。たとえば、第１平面２０ａの磁極がＳ極となり、第１平面２１ａの磁極がＮ極となり、斜面２０ｃの磁極がＮ極となり、斜面２１ｃの磁極がＳ極となるように、磁石片２０、２１は着磁されている。
【００４０】
フィルタホルダ８は、樹脂材料で形成されるとともに、略正方形の平板状に形成されている。このフィルタホルダ８は、ベース部材１５の下面に固定されている。フィルタホルダ８の中心には、貫通孔８ａが形成されている。また、フィルタホルダ８の外周側には、振れ補正装置４を構成する後述の板バネ２８の一部が固定されるバネ固定凸部８ｂが前後左右方向へ広がるように形成されている。バネ固定凸部８ｂは、フィルタホルダ８の全周に亘って形成されている。また、フィルタホルダ８の上面側には、ＩＲカットフィルタ１１が固定されている。
【００４１】
撮像素子は、基板２２に実装されている。基板２２は、フィルタホルダ８の下面に固定されている。基板２２には、カメラモジュール３の傾きの変化を検出するためのジャイロスコープが実装されている。また、基板２２には、ＦＰＣ（フレキシブルプリント基板）２３が接続されており、ＦＰＣ２３は、撮影用光学装置１の下端側で引き回されて、撮影用光学装置１の側面から引き出されている。また、基板２２の下面には、図２に示すように、後述の球状部材３５が当接する当接板２４が固定されている。
【００４２】
（振れ補正装置の構成）
図６は、図２に示すカメラモジュール３、板バネ２８および下ケース体３２の配置関係を説明するための斜視図である。図７は、図３に示す板バネ２８の斜視図である。
【００４３】
振れ補正装置４は、カメラモジュール３を揺動可能に支持する支持体２７と、カメラモジュール３と支持体２７とを繋ぐバネ部材としての板バネ２８と、手振れ等の振れを補正するために支持体２７に対してカメラモジュール３を揺動させる揺動駆動機構２９とを備えている。
【００４４】
支持体２７は、撮影用光学装置１の前後左右の４つの側面（外周面）を構成するケース体３１と、撮影用光学装置１の下面側を構成する反被写体側ケース体としての下ケース体３２と、板バネ２８の一部を固定するための固定部材としてのスペーサ部材３３とを備えている。ケース体３１は、略四角筒状に形成されており、カメラモジュール３を外周側から囲むように配置されている。下ケース体３２は、底部３２ａと筒部３２ｂとを有する底付きの略四角筒状（略有底四角筒状）に形成されている。スペーサ部材３３は、略正方形の枠状に形成されている。
【００４５】
下ケース体３２の底部３２ａは、下側に配置されており、撮影用光学装置１の下面を構成している。また、底部３２ａの中心には、カメラモジュール３の揺動の支点となる球状部材３５の下端側が配置される円形状の配置孔３２ｃが形成されている。本形態では、球状部材３５と配置孔３２ｃとによって、カメラモジュール３の揺動中心となる支点部３６が構成されている。支点部３６は、カメラモジュール３の下側に配置されており、球状部材３５の上端は、当接板２４の下面に当接している。なお、本形態の球状部材３５は、支点部３６を構成する支点用突部であり、配置孔３２ｃの縁は、支点用突部である球状部材３５が当接する当接部である。
【００４６】
板バネ２８は、図７に示すように、カメラモジュール３に固定される可動側固定部２８ａと、支持体２７に固定される固定側固定部２８ｂと、可動側固定部２８ａと固定側固定部２８ｂとを繋ぐ４本のバネ部２８ｃとを備えている。本形態では、固定側固定部２８ｂに対してバネ部２８ｃが撓むことで、可動側固定部２８ａに固定されたカメラモジュール３の揺動動作が可能となっている。
【００４７】
可動側固定部２８ａおよび固定側固定部２８ｂは、環状に形成されている。具体的には、可動側固定部２８ａおよび固定側固定部２８ｂは、略正方形状の枠状に形成されている。固定側固定部２８ｂは、可動側固定部２８ａよりも大きく形成されており、可動側固定部２８ａの外周側に配置されている。バネ部２８ｃは、可動側固定部２８ａと固定側固定部２８ｂとの間に配置されている。また、バネ部２８ｃは、略Ｌ形状に形成されている。具体的には、バネ部２８ｃは、図７に示すように、可動側固定部２８ａに繋がる直線状の内側バネ部２８ｄと、固定側固定部２８ｂに繋がる外側バネ部２８ｅとによって構成される略Ｌ形状に形成されている。
【００４８】
可動側固定部２８ａは、カメラモジュール３に直接固定されている。具体的には、図２に示すように、可動側固定部２８ａの下面がフィルタホルダ８のバネ固定凸部８ｂの上面８ｃに固定されている。固定側固定部２８ｂは、図２に示すように、下ケース体３２の筒部３２ｂの上端とスペーサ部材３３の下面との間に挟まれた状態で、筒部３２ｂとスペーサ部材３３とに固定されている。すなわち、図２、図６に示すように、固定側固定部２８ｂの下面は、筒部３２ｂの上端に当接している。また、下ケース体３２は、ケース体３１の下端側に固定され、スペーサ部材３３は、固定側固定部２８ｂを介して下ケース体３２の上側に配置された状態でケース体３１に固定されている
【００４９】
板バネ２８は、球状部材３５の上端と当接板２４とを確実に当接させるとともに、球状部材３５の下端側と下ケース体３２の配置孔３２ｃの縁とを確実に当接させるための与圧が発生するように（すなわち、カメラモジュール３を下方向へ付勢する付勢力が発生するように）、撓んだ状態で固定されている。すなわち、図２、図６に示すように、固定側固定部２８ｂは、可動側固定部２８ａよりも下側に下がった状態で支持体２７に固定されており、固定側固定部２８ｂは、可動側固定部２８ａよりも下側に配置されている。
【００５０】
また、板バネ２８は、内側バネ部２８ｄおよび外側バネ部２８ｅが前後方向または左右方向と略平行になるように固定されている。本形態では、左右方向に略平行な内側バネ部２８ｄおよび外側バネ部２８ｅは、第１バネ部となっており、前後方向に略平行な内側バネ部２８ｄおよび外側バネ部２８ｅは、第２バネ部となっている。すなわち、本形態のバネ部２８ｃは、左右方向に略平行な第１バネ部と前後方向に略平行な第２バネ部とから構成されており、左右方向および前後方向に変形可能となっている。また、本形態のバネ部２８ｃは、上下方向にも変形可能となっている。
【００５１】
揺動駆動機構２９は、４個の振れ補正用コイル３８と、４個の振れ補正用コイル３８のそれぞれに対向配置される４個の振れ補正用磁石３９とを備えている。
【００５２】
４個の振れ補正用コイル３８は、図３に示すように、ＦＰＣ４０に実装されて形成されている。また、振れ補正用コイル３８は、図３に示すように、略長方形状に巻回されて形成されており、互いに略平行な２個の長辺部３８ａを備えている。ＦＰＣ４０は、４個の振れ補正用コイル３８のそれぞれが、ケース体３１の内周面を構成する４つの内側面のそれぞれに配置されるように、ケース体３１の内周面に沿って配置されている。また、ＦＰＣ４０は、長辺部３８ａが前後方向または左右方向と略平行になるように（すなわち、略長方形状に巻回された振れ補正用コイル３８の短手方向と上下方向とが略一致するように）、ケース体３１の内周面に固定されている。ＦＰＣ４０は、中継用のＦＰＣ４１を介して、ＦＰＣ２３に接続されている。なお、振れ補正用コイル３８は、空芯状に巻回された空芯コイルであっても良い。
【００５３】
振れ補正用磁石３９は、略長方形の平板状に形成されている。４個の振れ補正用磁石３９のそれぞれは、カバー部材１４の筒部１４ｂの外周面を構成する４つの外側面のそれぞれに固定されている。すなわち、振れ補正用磁石３９は、カメラモジュール３の外周面に直接固定されている。具体的には、振れ補正用磁石３９は、その厚さ方向が筒部１４ｂの厚さ方向と一致し、かつ、その長手方向が左右方向または前後方向と略一致するように（すなわち、その短手方向が上下方向と略一致するように）、筒部１４ｂの外側面に固定されている。
【００５４】
振れ補正用磁石３９は、略長方形の平板状に形成された磁石片４２と磁石片４３との２個の磁石片によって構成されている。具体的には、磁石片４２の下面と磁石片４３の上面とが当接した状態で、磁石片４２と磁石片４３とが互いに接着固定されることで振れ補正用磁石３９が形成されている。
【００５５】
磁石片４２は、一方の側面に形成される磁極と他方の側面に形成される磁極とが異なるように着磁されている。すなわち、筒部１４ｂに固定される前後左右の内側面４２ａ（図５参照）に形成される磁極と、振れ補正用コイル３８に対向する前後左右の外側面４２ｂ（図５参照）に形成される磁極とが異なる磁極となるように、磁石片４２は着磁されている。また、４個の磁石片４２は、外側面４２ｂに形成される磁極がいずれも同じになるように（すなわち、内側面４２ａに形成される磁極がいずれも同じになるように）着磁されている。
【００５６】
同様に、磁石片４３は、筒部１４ｂに固定される前後左右の内側面４３ａ（図５参照）に形成される磁極と、振れ補正用コイル３８に対向する前後左右の外側面４３ｂ（図５参照）に形成される磁極とが異なる磁極となるように着磁されている。また、４個の磁石片４３は、外側面４３ｂに形成される磁極がいずれも同じになるように（すなわち、内側面４３ａに形成される磁極がいずれも同じになるように）着磁されている。
【００５７】
また、磁石片４２、４３は、内側面４２ａの磁極と内側面４３ａの磁極とが異なる磁極となるように着磁されている。すなわち、磁石片４２、４３は、外側面４２ｂの磁極と外側面４３ｂの磁極とが異なる磁極となるように着磁されている。
【００５８】
さらに、磁石片４２は、レンズ駆動用磁石１９を構成する磁石片２０の斜面２０ｃの磁極と、内側面４２ａの磁極とが異なる磁極となるように着磁され、磁石片４３は、レンズ駆動用磁石１９を構成する磁石片２１の斜面２１ｃの磁極と、内側面４３ａの磁極とが異なる磁極となるように着磁されている。たとえば、内側面４２ａがＳ極となり、内側面４３ａがＮ極となり、外側面４２ｂがＮ極となり、外側面４３ｂがＳ極となるように、磁石片４２、４３は着磁されている。
【００５９】
また、本形態では、振れ補正用磁石３９の左右方向または前後方向の両端側がカバー部材１４の筒部１４ｂを介して、レンズ駆動用磁石１９の斜面２０ｃ、２１ｃと対向するように、レンズ駆動用磁石１９および振れ補正用磁石３９が形成されている。すなわち、本形態では、筒部１４ｂを介して振れ補正用磁石３９に対向するレンズ駆動用磁石１９の対向面である斜面２０ｃ、２１ｃのうちの斜面２０ｃの磁極と、筒部１４ｂを介してレンズ駆動用磁石１９に対向する振れ補正用磁石３９の対向面である内側面４２ａ、４３ａのうちの内側面４２ａの磁極とが異なる磁極となるように（すなわち、斜面２０ｃ、２１ｃのうちの斜面２１ｃの磁極と、内側面４２ａ、４３ａのうちの内側面４３ａの磁極とが異なる磁極となるように）、レンズ駆動用磁石１９および振れ補正用磁石３９が筒部１４ｂに固定されている。本形態では、斜面２０ｃ、２１ｃは、第１対向面であり、内側面４２ａ、４３ａは、第２対向面である。
【００６０】
（撮影用光学装置の概略動作）
以上のように構成された撮影用光学装置１では、レンズ駆動用コイル１８に電流が供給されると、可動体５とともにレンズが光軸方向へ移動する。また、撮影用光学装置１では、基板２２に実装されるジャイロスコープでカメラモジュール３の傾きの変化が検出されると、ジャイロスコープでの検出結果に基づいて、振れ補正用コイル３８に電流が供給される。振れ補正用コイル３８に電流が供給されると、支点部３６を中心に、左右方向および／または前後方向を軸方向として、カメラモジュール３が光軸Ｌを傾けるように揺動して、振れが補正される。
【００６１】
なお、本形態では、板バネ２８、揺動駆動機構２９および支点部３６等によって、支持体２７に対して光軸Ｌが傾くようにカメラモジュール３を揺動させて振れを補正する振れ補正機構が構成されている。
【００６２】
（本形態の主な効果）
以上説明したように、本形態では、振れ補正用磁石３９は、カメラモジュール３の外周面に直接固定されている。そのため、本形態では、従来のように、カメラモジュール３の外周面を覆うように配置されるヨークに振れ補正用磁石３９が固定される場合と比較して、撮影用光学装置１を小型化することが可能になる。特に本形態では、板バネ２８の可動側固定部２８ａがカメラモジュール３に直接固定されているため、可動側固定部２８ａが固定される部材が別途設けられる場合と比較して、撮影用光学装置１をより小型化することが可能になる。
【００６３】
また、本形態では、カメラモジュール３の外周面を覆うようにヨークが配置される場合と比較して、揺動する部分の重量を低減することが可能になる。また、本形態では、撮影用光学装置１の大きさが従来の撮影用光学装置と同じであれば、ヨークの分だけ、振れ補正用磁石３９や振れ補正用コイル３８を大きくすることが可能になるため、揺動駆動機構２９の駆動力を高めることが可能になる。
【００６４】
本形態では、磁性材料で形成されたカバー部材１４の筒部１４ｂの内周面にレンズ駆動用磁石１９が固定され、筒部１４ｂの外周面に振れ補正用磁石３９が固定されている。そのため、カバー部材１４がバックヨークとして機能する。したがって、レンズ駆動用磁石１９に対向配置されるレンズ駆動用コイル１８を通過する磁束の密度、および、振れ補正用磁石３９に対向配置される振れ補正用コイル３８を通過する磁束の密度を高めることが可能になる。また、レンズ駆動用磁石１９が発生させる磁束と、振れ補正用磁石３９が発生させる磁束との干渉を抑制することが可能になる。したがって、レンズ駆動機構７によって、レンズを光軸方向へ適切に移動させること、および、揺動駆動機構２９によって、カメラモジュール３を適切に揺動させることが可能になる。
【００６５】
本形態では、筒部１４ｂを介して振れ補正用磁石３９に対向するレンズ駆動用磁石１９の斜面２０ｃ、２１ｃのうちの斜面２０ｃの磁極と、筒部１４ｂを介してレンズ駆動用磁石１９に対向する振れ補正用磁石３９の内側面４２ａ、４３ａのうちの内側面４２ａの磁極とが異なる磁極となるように、レンズ駆動用磁石１９および振れ補正用磁石３９が筒部１４ｂに固定されている。そのため、効率的な磁気回路を形成することが可能になり、レンズ駆動機構７および揺動駆動機構２９の駆動力を高めることが可能になる。また、筒部１４ｂを介して、レンズ駆動用磁石１９と振れ補正用磁石３９との間に吸引力が作用するため、レンズ駆動用磁石１９および振れ補正用磁石３９を筒部１４ｂへ固定する際の固定作業が容易になる。
【００６６】
本形態では、板バネ２８の可動側固定部２８ａは、フィルタホルダ８のバネ固定凸部８ｂの上面８ｃに固定されている。可動側固定部２８ａが、バネ固定凸部８ｂの下面に固定されている場合には、バネ部２８ｃが撓むと、バネ固定凸部８ｂの下面から可動側固定部２８ａが剥がれやすくなるが、本形態では、バネ部２８ｃが撓んでも、バネ固定凸部８ｂからの可動側固定部２８ａの剥がれを防止することができる。
【００６７】
本形態では、板バネ２８の固定側固定部２８ｂは、可動側固定部２８ａよりも下側に下がった状態で支持体２７に固定されている。そのため、板バネ２８を利用して、カメラモジュール３の下側に配置される支点部３６に向かって、カメラモジュール３を付勢することができ、カメラモジュール３の揺動動作を安定させることが可能になる。
【００６８】
本形態では、バネ固定凸部８ｂは、フィルタホルダ８の全周に亘って形成されている。また、可動側固定部２８ａは、略正方形状の枠状に形成されている。そのため、バネ部２８ｃの付勢力をカメラモジュール３の全周に亘って作用させることが可能になり、カメラモジュール３の揺動動作をより安定させることが可能になる。
【００６９】
本形態では、板バネ２８の固定側固定部２８ｂは、球状部材３５の下端側が配置される配置孔３２ｃが形成される下ケース体３２の筒部３２ｂの上端とスペーサ部材３３の下面との間に挟まれた状態で、筒部３２ｂとスペーサ部材３３とに固定されており、固定側固定部２８ｂの下面は、筒部３２ｂの上端に当接している。そのため、上下方向において、筒部３２ｂの上端を基準にして固定側固定部２８ｂを固定することが可能になり、固定側固定部２８ｂと支点部３６との上下方向における相対位置精度を確保しやすくなる。したがって、板バネ２８を利用して、カメラモジュール３を支点部３６に向かって適切に付勢することが可能になり、カメラモジュール３の揺動動作をより安定させることが可能になる。
【００７０】
なお、本形態では、筒部３２ｂを構成する４つの側面の前後方向、左右方向の厚みは比較的薄くなっているが、枠状に形成されるスペーサ部材３３の４つの側辺部の前後方向、左右方向の厚みは比較的厚くなっているため、スペーサ部材３３の厚みを利用して、筒部３２ｂとスペーサ部材３３と間に固定側固定部２８ｂを安定させた状態で固定することが可能になる。
【００７１】
本形態では、内側バネ部２８ｄおよび外側バネ部２８ｅが前後方向または左右方向と略平行になるように板バネ２８が固定されている。そのため、左右方向に略平行な内側バネ部２８ｄおよび外側バネ部２８ｅの作用で前後方向における板バネ２８のバネ定数を比較的小さくし、前後方向に略平行な内側バネ部２８ｄおよび外側バネ部２８ｅの作用で左右方向における板バネ２８のバネ定数を比較的小さくすることが可能になる。したがって、前後左右方向へ可動側固定部２８ａを円滑に動かすことが可能になる。その結果、カメラモジュール３の揺動角度が大きくなっても、カメラモジュール３を円滑に揺動させることが可能になる。
【００７２】
（他の実施の形態）
上述した形態は、本発明の好適な形態の一例ではあるが、これに限定されるものではなく本発明の要旨を変更しない範囲において種々変形実施が可能である。
【００７３】
上述した形態では、レンズ駆動機構７は、レンズ駆動用コイル１８とレンズ駆動用磁石１９とを備えるいわゆるボイスコイルモータである。この他にもたとえば、レンズ駆動機構７は、レンズ駆動用コイル１８およびレンズ駆動用磁石１９に代えて、レンズを光軸方向へ移動させるための圧電素子を備えていても良いし、形状記憶合金を備えていても良い。
【００７４】
上述した形態では、撮影用光学装置１は、オートフォーカス機能を備えているが、撮影用光学装置１は、オートフォーカス機能を備えていなくても良い。すなわち、カメラモジュール３は、レンズ駆動機構７を備えていなくても良い。この場合には、たとえば、スリーブ１３が保持体６に固定される。
【００７５】
上述した形態では、板バネ２８の可動側固定部２８ａは、バネ固定凸部８ｂの上面８ｃに固定されている。この他にもたとえば、可動側固定部２８ａは、バネ固定凸部８ｂの下面に固定されても良い。また、可動側固定部２８ａは、振れ補正用磁石３９の下面に、直接、あるいは、所定の取付部材を介して固定されても良い。また、上述した形態では、可動側固定部２８ａは、環状に形成されているが、可動側固定部２８ａは、環状に形成されていなくても良い。たとえば、可動側固定部２８ａは、４本のバネ部２８ｃのそれぞれに繋がるように４分割されていても良い。また、上述した形態では、バネ固定凸部８ｂは、フィルタホルダ８の全周に亘って形成されているが、バネ固定凸部８ｂは、フィルタホルダ８の外周面の一部に形成されても良い。
【００７６】
上述した形態では、カバー部材１４は、磁性材料で形成されている。この他にもたとえば、カバー部材１４は、非磁性材料で形成されても良い。また、カバー部材１４の一部が磁性材料で形成され、カバー部材１４の他の部分が非磁性材料で形成されても良い。
【００７７】
上述した形態では、振れ補正装置４は、支点部３６を構成する支点用突部として、球状部材３５を備えている。この他にもたとえば、カメラモジュール３の下面に支点部３６を構成する支点用突部が形成または固定されても良いし、下ケース体３２の底部３２ａに支点部３６を構成する支点用突部が形成または固定されても良い。なお、カメラモジュール３の下面に支点部３６を構成する支点用突部が形成または固定される場合には、この支点用突部が当接する当接部が下ケース３２の底部３２ａに形成される。
【００７８】
上述した形態では、略四角柱状に形成されたレンズ駆動用磁石１９がカバー部材１４の筒部１４ｂの四隅の内側に固定されている。この他にもたとえば、略矩形の平板状に形成されたレンズ駆動用磁石１９が筒部１４ｂを構成する４つの側面の内側に固定されても良い。また、上述した形態では、レンズ駆動用コイル１８は、スリーブ１３の外周面に巻回されているが、レンズ駆動用コイル１８は、略長方形状に巻回された空芯コイルであっても良い。この場合には、たとえば、空芯状の４個のレンズ駆動用コイル１８がスリーブ１３の外周面に固定される。
【００７９】
上述した形態では、４個の磁石片４２は、外側面４２ｂに形成される磁極がいずれも同じになるように着磁され、４個の磁石片４３は、外側面４３ｂに形成される磁極がいずれも同じになるように着磁されている。この他にもたとえば、周方向で隣り合う磁石片４２の外側面４２ｂに形成される磁極が異なる磁極となり、周方向で隣り合う磁石片４３の外側面４３ｂに形成される磁極が異なる磁極となるように、磁石片４２、４３が着磁されても良い。すなわち、筒部１４ｂの左右の外側面に固定される磁石片４２の外側面４２ｂの磁極と、筒部１４ｂの前後の外側面に固定される磁石片４２の外側面４２ｂの磁極とが異なり、筒部１４ｂの左右の外側面に固定される磁石片４３の外側面４３ｂの磁極と、筒部１４ｂの前後の外側面に固定される磁石片４３の外側面４３ｂの磁極とが異なるように、磁石片４２、４３が着磁されても良い。この場合には、効率の良い磁気回路を形成することが可能になり、揺動駆動機構２９の駆動力を高めることが可能になる。
【００８０】
上述した形態では、カバー部材１４の筒部１４ｂの外周面を構成する４つの外側面のそれぞれに振れ補正用磁石３９が固定されている。この他にもたとえば、筒部１４ｂの前後の側面の一方と左右の側面の一方との２つの側面に振れ補正用磁石３９が固定されても良い。なお、筒部１４ｂの外周面を構成する４つの外側面のうちの３つの外側面のそれぞれに振れ補正用磁石３９が固定されても良い。
【００８１】
上述した形態では、レンズ駆動用磁石１９は、磁石片２０、２１の２個の磁石片によって構成されているが、レンズ駆動用磁石１９は、１個の磁石片によって構成されても良い。同様に、振れ補正用磁石３９は、１個の磁石片によって構成されても良い。
【００８２】
上述した形態では、撮影用光学装置１は、光軸方向から見たときの形状が略正方形状となるように形成されているが、撮影用光学装置１は、光軸方向から見たときの形状が略長方形状となるように形成されても良い。また、撮影用光学装置１は、光軸方向から見たときの形状がその他の多角形状となるように形成されても良いし、光軸方向から見たときの形状が円形状や楕円形状となるように形成されても良い。同様に、カメラモジュール３は、光軸方向から見たときの形状が略長方形状となるように形成されても良い。また、カメラモジュール３は、光軸方向から見たときの形状がその他の多角形状となるように形成されても良いし、光軸方向から見たときの形状が円形状や楕円形状となるように形成されても良い。
【００８３】
上述した形態では、レンズおよび撮像素子を有するカメラモジュール３が搭載された撮影用光学装置１を例に本発明の実施の形態を説明したが、本発明の構成は、レンズおよび／または撮像素子を有しないレンズ駆動モジュールが搭載されたレンズ駆動装置にも適用可能である。すなわち、本発明の構成は、カメラモジュール３からレンズホルダ１２および／または基板２２等を取り除くことで構成されるレンズ駆動モジュール（すなわち、撮影機能は備えていないが、レンズを光軸方向へ移動させるための機能を備えているレンズ駆動モジュール）と、上述の振れ補正装置４とを備えるレンズ駆動装置にも適用可能である。この場合であっても、上述した形態と同様の効果を得ることができる。
【符号の説明】
【００８４】
１  撮影用光学装置
３  カメラモジュール
４  振れ補正装置
５  可動体
６  保持体
７  レンズ駆動機構
８ｂ  バネ固定凸部
１４  カバー部材
１８  レンズ駆動用コイル
１９  レンズ駆動用磁石
２０ｃ、２１ｃ  斜面（第１対向面）
２７  支持体
２８  板バネ（バネ部材、振れ補正機構の一部）
２８ａ  可動側固定部
２８ｂ  固定側固定部
２８ｃ  バネ部
２８ｄ  内側バネ部（第１バネ部または第２バネ部）
２８ｅ  外側バネ部（第１バネ部または第２バネ部）
２９  揺動駆動機構（振れ補正機構の一部）
３２  下ケース体（反被写体側ケース体）
３３  スペーサ部材（固定部材）
３５  球状部材（支点用突部）
３６  支点部（振れ補正機構の一部）
３８  振れ補正用コイル
３９  振れ補正用磁石
４２ａ、４３ａ  内側面（第２対向面）
Ｌ  光軸
Ｘ  第１方向
Ｙ  第２方向
Ｚ  光軸方向
Ｚ１  被写体側
Ｚ２  反被写体側
【図１】
2011257506.tif 000003
【図２】
2011257506.tif 000004
【図３】
2011257506.tif 000005
【図４】
2011257506.tif 000006
【図５】
2011257506.tif 000007
【図６】
2011257506.tif 000008
【図７】
2011257506.tif 000009